(57)【要約】【課題】  レンズ本体の構成を変えず既存の機材を使用して、デマンドコネクタを介し、撮影者がアイリスを操作できるようにする。【解決手段】  レンズ装置は、可動レンズと、該可動レンズの駆動を制御する可動レンズ制御手段と、可変絞りと、該可変絞りの駆動を制御する絞り制御手段と、を備え、前記可動レンズ制御手段の制御信号を入出力するコネクタを含む、信号入出力のための複数のコネクタと、前記複数のコネクタに接続された操作装置の種類を識別する識別手段と、前記複数のコネクタのうちの所定のコネクタに、前記可動レンズの操作制御手段が接続された際には、前記操作制御手段から前記所定のコネクタに入力された信号を前記絞り制御手段を制御する信号として変換し、前記絞り制御手段に出力する制御データ変換手段と、を有する。【選択図】  図１
2015200717.tif 000002
【特許請求の範囲】
【請求項１】
可動レンズと、該可動レンズの駆動を制御する可動レンズ制御手段と、可変絞りと、該可変絞りの駆動を制御する絞り制御手段と、を備えたレンズ装置において、
前記可動レンズ制御手段の制御信号を入出力するコネクタを含む、信号入出力のための複数のコネクタと、
前記複数のコネクタに接続された操作装置の種類を識別する識別手段と、
前記複数のコネクタのうちの所定のコネクタに、前記可動レンズの操作制御手段が接続された際には、前記操作制御手段から前記所定のコネクタに入力された信号を前記絞り制御手段を制御する信号として変換し、前記絞り制御手段に出力する制御データ変換手段と、
を有することを特徴とするレンズ装置。
【請求項２】
前記可動レンズはフォーカスレンズであることを特徴とする請求項１に記載のレンズ装置。
【請求項３】
前記可動レンズの操作制御手段は、操作端がエンドレスタイプのフォーカス駆動制御手段であることを特徴とする請求項１に記載のレンズ装置。
【請求項４】
前記可動レンズはズームレンズであることを特徴とする請求項１に記載のレンズ装置。
【請求項５】
前記制御データ変換手段は、フォーカスレンズの制御データを絞りの制御データに変換することを特徴とする 請求項１に記載のレンズ装置。 
【請求項６】
前記所定のコネクタに前記可動レンズの操作制御手段が接続された際に、前記操作制御手段から前記所定のコネクタに入力された信号を前記絞り制御手段を制御する信号として変換し、前記絞り制御手段に出力するか否かを設定するための絞り操作設定部を有する、ことを特徴とする請求項１に記載のレンズ装置。 
【請求項７】
前記制御データ変換手段が、前記操作制御手段から前記所定のコネクタに入力された信号を前記絞り制御手段を制御する信号として変換し、前記絞り制御手段に出力する場合、その旨を表示する表示手段を有する、ことを特徴とする請求項１乃至６のいずれか１項に記載のレンズ装置。
【請求項８】
請求項１乃至７のいずれか１項に記載のレンズ装置と、該レンズ装置からの被写体光を受光する撮像素子とを含む、撮像装置。
【発明の詳細な説明】
【技術分野】
【０００１】
本発明は、アイリス部を含む複数の光学可動部を有するレンズ装置及びそれを有する撮像装置に関する。
【背景技術】
【０００２】
従来、テレビレンズは、ズーム部を操作するためのズームデマンドと、フォーカス部を操作するためのフォーカスデマンドが取り付けられている。撮影者がズームデマンドあるいはフォーカスデマンドを操作することにより、ズーム部およびフォーカス部が制御されていた。それに対してアイリス部は、テレビカメラからの制御信号に基づいて、制御される。テレビカメラからテレビレンズに入力されるアイリス制御信号は、撮影者以外の人による操作に応じた信号であり、撮影者の意図をアイリス操作に反映することが難しかった。
【０００３】
また近年、ズーム、フォーカスに加え、アイリスも撮影者が操作可能なシネマ用機材の操作性を、テレビ用機材にも求められるようになり、撮影者がアイリスを操作できるようにする要望が強くなっていた。そこで、撮影者がアイリスを操作できるよう、フォーカスデマンドやテレビレンズにハード的な変更をする場合があった。
【先行技術文献】
【特許文献】
【０００４】
【特許文献１】特開２００４−００４８７３号公報
【発明の概要】
【発明が解決しようとする課題】
【０００５】
しかしながら上記従来の方法では、フォーカスデマンドやテレビレンズにハード的な改造を実施する必要があり、コストアップを余儀なくされ、かつ汎用性が低下するという弊害が生じていた。撮影者がアイリスを操作可能にしつつ、コストアップせず、かつ汎用性を低下させないレンズ装置を実現する対策が望まれていた。
【課題を解決するための手段】
【０００６】
本発明のレンズ装置は、可動レンズと、該可動レンズの駆動を制御する可動レンズ制御手段と、可変絞りと、該可変絞りの駆動を制御する絞り制御手段と、を備え、前記可動レンズ制御手段の制御信号を入出力するコネクタを含む、信号入出力のための複数のコネクタと、前記複数のコネクタに接続された操作装置の種類を識別する識別手段と、前記複数のコネクタのうちの所定のコネクタに、前記可動レンズの操作制御手段が接続された際には、前記操作制御手段から前記所定のコネクタに入力された信号を前記絞り制御手段を制御する信号として変換し、前記絞り制御手段に出力する制御データ変換手段と、を有することを特徴とする。
【発明の効果】
【０００７】
本発明によれば、撮影者によるアイリス操作を可能にしつつ、コストアップと汎用性低下を招かないレンズ装置を実現することが可能となるレンズ装置およびそれを有する撮像装置を得ることができる。
【図面の簡単な説明】
【０００８】
【図１】第１の実施例に係るレンズ装置の構成図
【図２】第１の実施例に係るレンズ装置の動作を説明するためのフローチャートである
【図３】第１の実施例に係るレンズ装置の動作を説明するためのフローチャートである
【図４】第２の実施例に係るレンズ装置の構成図
【図５】第２の実施例に係るレンズ装置の動作を説明するためのフローチャートである
【図６】第２の実施例に係るレンズ装置の動作を説明するためのフローチャートである
【発明を実施するための形態】
【０００９】
［実施例１］
以下に、本発明の実施の形態を添付の図１から図３の図面に基づいて詳細に説明する。
【００１０】
図１は、本発明を適用できる第１の実施例におけるレンズ装置の構成図である。
１は、不図示のフォーカスレンズ群やズームレンズ群（可動レンズ）及び該可動レンズ群の駆動を制御する不図示の可動レンズ制御手段、を備えたズームレンズ（レンズ装置）である。１０１は不図示のズームレンズ群やフォーカスレンズ群を操作するためのデマンド（操作制御手段）が接続され制御信号が入出力されるコネクタで、１０２、１０３も１０１と同等の信号入出力のためのコネクタである。本実施例では、コネクタ１０１から１０３は、図１に示すように一列に並んだ状態でズームレンズ１に配置されており、コネクタ１０２はその中央に位置している。
【００１１】
１０４は、コネクタ１０１から１０３に接続されたデマンド（操作装置）の種類を認識するためのデマンド認識部（識別手段）であり、１０５はコネクタ１０２を介して入力された所定のデータをアイリス用データに変換するための制御データ変換部（制御データ変換手段）である。１０６は、レンズ１の状態を表示するための表示部で、本実施例では、アイリス制御状態であることを表示するための構成要素である。１０７は不図示のアイリス部を制御するためのアイリス制御部、１０８は不図示のアイリス部（可変絞り）を駆動するためのアイリスモータ（絞り制御手段）である。また、アイリスへの駆動指令信号を、レンズ装置外部から入力するための不図示のアイリス制御信号入力部を有する。この不図示のアイリス制御信号入力部への信号線は、レンズ装置に接続されるカメラ装置を介して、レンズ装置（撮影装置）から離れた場所（操作室、中継車等）からのアイリス操作を可能とするように接続することができる。本実施例では、デマンド認識部１０４と制御データ変換部１０５をＣＰＵ１２０にて実現している。
【００１２】
図１の説明を続ける。２は、不図示のズームレンズ群を操作するためのズームデマンドで、３は不図示のフォーカスレンズ群を操作するためのフォーカスデマンドである。４は不図示のフォーカスレンズ群あるいはアイリス部を操作するためのフォーカスデマンドであり、例えば、操作端がエンドレスタイプのフォーカス駆動制御手段である。
【００１３】
コネクタ１０１には、ズームデマンド２とデマンド認識部１０４が通信する通信部Ａが配置されている。同様にコネクタ１０２にはフォーカスデマンド４とデマンド認識部１０４が通信する通信部Ｂ、コネクタ１０３にはフォーカスデマンド３とデマンド認識部１０４が通信する通信部Ｃが配置されている。ズームデマンド２およびフォーカスデマンド４、フォーカスデマンド３は、それぞれ通信部Ａ、通信部Ｂ、通信部Ｃを介して、デマンド認識部１０４とシリアル通信により、コマンドとデータの送受信を実施する。
【００１４】
以下に図２のフローチャートに沿って、ＣＰＵ１２０により実現したデマンド認識部１０４および制御データ変換部１０５の動作を詳細に説明する。
まず、不図示のカメラからレンズ１に電源が供給されると、ＣＰＵ１２０はＳ１０１に進み、ＣＰＵ１２０の内部レジスタ等の初期化を実施し、表示部制御用カウンタCountを‘０’に初期化する。この表示部制御用カウンタCountは、コネクタ１０２を介して実施されるフォーカスデマンド４とデマンド認識部１０４との通信が実施されているか否かを判断するために使用するカウンタである。
【００１５】
次にＳ１０２では、ズームデマンド２やフォーカスデマンド３、フォーカスデマンド４からのコマンドをそれぞれ受信してＳ１０３に進み、Ｓ１０３において受信した各コマンドがコネクタ１０２から受信したか否かを判断する。Ｓ１０２では、所定時間コマンドを受信するのを待ち、受信コマンドが無い場合はＳ１０３に進む。Ｓ１０３において、受信したコマンドがコネクタ１０２から受信したコマンドであった場合はＳ１０４に進み、受信したコマンドがフォーカス用コマンドか否かを判断する。Ｓ１０４において、受信したコマンドがフォーカス用コマンドの場合は、Ｓ１０５に進み、受信したコマンド内のフォーカス用データをアイリス用データに変換する。
【００１６】
このように特定のコネクタ１０２から受信したフォーカス用コマンドとフォーカス用データをアイリス用コマンドとアイリス用データ（IrisContorl）に変換することにより、撮影者がアイリスを操作することが可能となる。
【００１７】
図２の説明に戻る。Ｓ１０６にすすんだＣＰＵ１２０は、表示部１０６にアイリスを制御中である旨を通知するためのコメントを出力し、表示部１０６に表示、Ｓ１０７にすすむ。表示するコメントは例えば、「アイリス制御モード」、「Iris Control Mode」などである。次にＳ１０７において、表示部制御用カウンタCountを‘０’に設定し、Ｓ１０８では、変換したアイリス用コマンドに応じて受信コマンド解析処理を実行し、Ｓ１０９において、アイリス制御部１０７に出力するためのアイリス制御データを演算する。Ｓ１０９では、不図示のアイリス位置検出部から不図示のアイリス部の位置データ（IrisPosition）を入力し、例えば、式（１）を用いて、アイリス制御部１０７に出力するためのデータ（IrisData）を演算し、アイリス制御部１０７に出力する。
【００１８】
IrisData ＝ Kp ×（IrisControl − IrisPosition）    （１）
IrisData：アイリス制御部１０７に出力するデータ
IrisContorl：アイリス用データ
IrisPosition：アイリス位置検出部から入力した位置データ
Kp：任意の演算係数
【００１９】
さらにＣＰＵ１２０は、Ｓ１１０にて、フォーカスデマンド４あるいはフォーカスデマンド３、ズームデマンド２のいずれかに送り返すためのコマンドを作成し、送信する。今回は、フォーカスデマンド４から入力されたコマンドに関する処理を説明しているので、フォーカスデマンド４にコマンド（アンサーデータ）を送信する。
【００２０】
一方、Ｓ１０４において、受信したコマンドがフォーカス用コマンド以外の場合は、Ｓ１０７にジャンプし、表示部制御用カウンタCountを０に設定し、Ｓ１０８以後を順に実行する。例えばズーム用コマンドやリターンスイッチ用コマンド等を受信した場合に相当する。この場合も、Ｓ１１０では、フォーカスデマンド４にコマンドを送信する。
【００２１】
またＳ１０３において、受信したコマンドがコネクタ１０２から受信したコマンドではない場合は、Ｓ１１１にて表示部制御用カウンタCountに１を加算し、Ｓ１１２で所定の値Ｔａと比較する。さらにＳ１０２において、受信コマンド無しとしてＳ１０３にすすんだ場合も、コネクタ１０２からコマンドを受信していないと判断し、Ｓ１１１にすすむ。
【００２２】
Ｓ１１２において表示部制御用カウンタCountが式（２）の関係を満足する場合は、
Count  ≧  Ｔａ    （２）
【００２３】
コネクタ１０２に接続されていたフォーカスデマンド４が取り外されたと判断し、Ｓ１１３にて表示部１０６の表示を消去し、Ｓ１０７にすすむ。ここで、表示部１０６の表示を消去するのではなく、「フォーカス制御モード」、「Focus Control Mode」と表示するようにしても、同様の効果を得ることが可能である。
【００２４】
一方、Ｓ１１２において、表示部制御用カウンタCountが式（２）の関係を満足しない場合は、フォーカスデマンド４はデマンド認識部１０４と通信を実施している状態であると判断する。Ｓ１０８では、受信したコマンドに応じた解析処理を実行する。
【００２５】
図３を用いて、Ｓ１０５に示した制御データ変換部１０５の動作を詳しく説明をする。最初にＳ１５１において、受信したフォーカス用データが位置データか否かを判断する。Ｓ１５１において、受信したフォーカス用データが位置データの場合は、Ｓ１５２でフォーカス位置データをアイリス位置データに変換する。一方Ｓ１５１において、受信したフォーカス用データが速度データの場合は、Ｓ１５３でフォーカス速度データをアイリス速度データに変換する。
【００２６】
このように所定のコネクタ１０２から受信したフォーカス用データをアイリス用データに変換することにより、撮影者がアイリス操作をすることを可能にしている。
【００２７】
以後、不図示のカメラの電源が遮断されるまで、ＣＰＵ１２０はＳ１０２からＳ１１３を繰り返し実行する。
【００２８】
本実施例では、フォーカス用コマンドをアイリス用コマンドに変換しているが、ズーム用コマンドをアイリス用コマンドに変換する場合も同様の効果を得ることができる。
【００２９】
また本実施例では、Ｓ１５３においてフォーカス速度データが入力されている場合にはアイリス速度データに変換しているが、フォーカス速度データをアイリス位置データに変換しても同様の効果を得ることが可能である。
【００３０】
［実施例２］
以下に、本発明の実施の形態を添付の図４から図６の図面に基づいて詳細に説明する。
【００３１】
図４は、本発明を適用できる第２の実施例におけるレンズ装置の構成図である。
図１と同じ構成要素には、図１と同じ符号を付した。２０１は、コネクタ１０２に接続されたデマンドにより、アイリス操作が可能か否かを設定するためのアイリス操作設定部である。また５は、不図示のズームレンズ群あるいはアイリス部を操作するためのズームデマンドである。
【００３２】
以下に図５のフローチャートに沿って、ＣＰＵ１２０により実現したデマンド認識部１０４および制御データ変換部１０５の動作を詳細に説明する。
【００３３】
まず、不図示のカメラからレンズ１に電源が供給されると、Ｓ１０１から順に動作を実施する。Ｓ１０１からＳ１０３は図２と同じであるので説明を省略する。Ｓ１０３において、受信したコマンドがコネクタ１０２から受信した場合は、Ｓ２０１に進み、アイリス操作設定部２０１の状態を判断する。Ｓ２０１において、アイリス操作設定部２０１がアイリス操作可能状態に設定されている場合は、Ｓ２０２に進み、受信したコマンドがズーム用コマンドか否かを判断する。Ｓ２０１において、受信したコマンドがズーム用コマンドの場合は、Ｓ２０３で受信したコマンド内のズームデータをアイリスデータに変換し、Ｓ１０６にすすむ。
【００３４】
このように特定のコネクタ１０２から受信したズーム用コマンドをアイリス用データに変換することにより、撮影者がアイリスを操作することが可能となる。
【００３５】
Ｓ１０６からＳ１１３は図２と同じ動作であるので、説明を省略する。
一方Ｓ２０２において、受信したコマンドがズーム用コマンドではない場合は、Ｓ１０７にすすむ。また、Ｓ２０１において、アイリス操作設定部２０１がアイリス操作不可能状態に設定されている場合は、Ｓ１１３にすすむ。アイリス操作設定部２０１がアイリス操作不可能状態に設定されている場合とは次のような場合である。不図示のアイリス制御信号入力部への信号線を介して撮影装置から離れた場所にある別の操作手段（操作室、中継車等）でアイリス制御を実施することを優先する撮影条件の場合に、撮影者からのアイリス操作をブロックしたい場合等である。
【００３６】
以後、不図示のカメラの電源が遮断されるまで、ＣＰＵ１２０はＳ１０２からＳ１１３、Ｓ２０１からＳ２０３を繰り返し実行する。
【００３７】
さらに図６を用いて、Ｓ２０２、Ｓ２０３に示した制御データ変換部１０５の動作を詳しく説明をする。図５と同じ処理には、同じ符号を付した。図６のＳ２０２に進んだ制御データ変換部１０５は、Ｓ２０２において受信したコマンドがズーム用コマンドであると判断した場合は、Ｓ２５１で受信したズーム用データが位置データか否かを判断する。Ｓ２５１において、受信したズーム用データが位置データの場合は、Ｓ２５２でズーム位置データをアイリス位置データに変換する。一方Ｓ２５１において、受信したズーム用データが速度データの場合は、Ｓ２５３でズーム速度データをアイリス位置データに変換する。
【００３８】
このように所定のコネクタ１０２から受信したズーム用データをアイリス用データに変換することにより、撮影者がアイリス操作をすることを可能にしている。
【００３９】
なお、例示した実施例においては、コネクタ１０２にのみ、アイリスの制御を可能とする構成について記載した。すなわち、特定のコネクタから、フォーカスデマンド（ズームデマンド）からの制御信号が入力された場合に、そのコネクタからの制御信号をアイリスへの制御信号として認識したが、本発明はこれに限定されることはない。
【００４０】
例えば、複数のコネクタを有し、最初に接続された（或いは最初に接続がＣＰＵに認識された）フォーカスデマンド（ズームデマンド）については、フォーカス操作（ズーム操作）に特化するデマンドとして認識する。そしてその後、別の空いている使用可能なコネクタに接続されたフォーカスデマンド（ズームデマンド）について、上記の実施例を適用可能な構成としてもよい。
【００４１】
また、本発明のレンズ装置と、該レンズ装置からの被写体光を受光する撮像素子とを含む撮像装置によって、本発明の効果を享受できる撮像装置を実現することができる。
【符号の説明】
【００４２】
１      ズームレンズ
２      ズームデマンド
３      フォーカスデマンド
４      フォーカスデマンド
１０１  コネクタ
１０２  コネクタ
１０３  コネクタ
１０４  デマンド認識部
１０５  制御データ変換部
１０７  アイリス制御部
１０８  アイリスモータ
１２０  ＣＰＵ
【図１】
2015200717.tif 000003
【図２】
2015200717.tif 000004
【図３】
2015200717.tif 000005
【図４】
2015200717.tif 000006
【図５】
2015200717.tif 000007
【図６】
2015200717.tif 000008